(57)【要約】【課題】容易かつ確実にアラート情報を共有できる、アラート情報共有システム、通信端末装置、サーバ装置、アラート情報共有方法、アラート情報共有プログラムを提供する。【解決手段】システムは、サーバ装置と、互いに離れた箇所に配置された複数の通信端末装置とが同一ネットワーク上にあり、複数の通信端末装置はそれぞれ、少なくとも１つのセンサに接続可能であって、センサで取得されたデータを受信する手段と、データに基づいてセンサが設置された箇所に異常があるか否かを判定する手段と、異常がある場合にサーバ装置にアラート情報を送信する手段と、サーバ装置からブロードキャストされたアラート情報を受信し外部に出力する手段とを有するように構成した。【選択図】図１
2019200479.tif 000002
【特許請求の範囲】
【請求項１】
サーバ装置と、互いに離れた箇所に配置された複数の通信端末装置とが同一ネットワーク上にあり、
前記複数の通信端末装置はそれぞれ、
少なくとも１つのセンサに接続可能であって、
前記センサで取得されたデータを受信する手段と、
前記データに基づいて前記センサが設置された箇所に異常があるか否かを判定する手段と、
異常がある場合に前記サーバ装置にアラート情報を送信する手段と、
前記サーバ装置からブロードキャストされた前記アラート情報を受信し外部に出力する手段と
を有する、アラート情報共有システム。
【請求項２】
前記サーバ装置からブロードキャストされた前記アラート情報には、前記アラート情報を外部に出力すべき前記通信端末装置の識別子が送信先識別子として付加されており、前記アラート情報を受信した前記複数の通信端末装置は、
前記送信先識別子に自身の識別子があるかを判定する手段と、
前記自身の識別子がある場合に前記アラート情報を外部に出力する手段と、
前記自身の識別子がない場合に前記アラート情報を外部に出力しない手段と
を有する、請求項１に記載のアラート情報共有システム。
【請求項３】
サーバ装置と、互いに離れた箇所に配置された複数の通信端末装置とが同一ネットワーク上にあり、
前記複数の通信端末装置はそれぞれ、
少なくとも１つのセンサに接続可能であって、
前記センサで取得されたデータを受信する手段と、
前記データに基づいて前記センサが設置された箇所に異常があるか否かを判定する手段と、
異常がある場合にアラート情報を外部に出力する手段と、
異常がある場合に自身の識別子を送信元識別子として付加して前記サーバ装置に前記アラート情報を送信する手段と、
前記サーバ装置からブロードキャストされた前記アラート情報と前記送信元識別子とを受信する手段と、
前記送信元識別子に自身以外の識別子が含まれているかを判定する手段と、
前記送信元識別子に自身以外の識別子が含まれている場合に自身以外の識別子に紐づく前記アラート情報を外部に出力する手段と、
前記送信元識別子に自身以外の識別子が含まれていない場合に前記アラート情報を外部に出力しない手段と
を有する、アラート情報共有システム。
【請求項４】
前記サーバ装置から送信された前記アラート情報には、前記送信元識別子と、送信先識別子である前記アラート情報を外部に出力すべき前記通信端末装置の識別子とが付加されており、前記アラート情報を受信した前記複数の通信端末装置は、
前記送信先識別子に自身の識別子が含まれているかを判定する手段と、
前記送信先識別子に自身の識別子が含まれていない場合に前記アラート情報を外部に出力しない手段と、
前記送信先識別子に自身の識別子が含まれている場合に前記送信元識別子に自身以外の識別子が含まれているかを判定する手段と、
前記送信元識別子に自身以外の識別子が含まれている場合に自身以外の識別子に紐づくアラート情報を外部に出力する手段と、
前記送信元識別子に自身以外の識別子が含まれていない場合に前記アラート情報を外部に出力しない手段と
を有する、請求項３に記載のアラート情報共有システム。
【請求項５】
前記センサは、人感センサ、温度センサ、湿度センサ、ドア開閉センサからなる群から選ばれた少なくとも１つである、請求項１から４のいずれかに記載のアラート共有システム。
【請求項６】
サーバ装置に同一ネットワーク上で複数接続可能であり、少なくとも１つのセンサに接続可能な通信端末装置であって、
前記センサで取得されたデータを受信する手段と、
前記データに基づいて前記センサが設置された箇所に異常があるか否かを判定する手段と、
異常がある場合に前記サーバ装置にアラート情報を送信する手段と、
前記サーバ装置からブロードキャストされた前記アラート情報を受信し外部に出力する手段と
を有する、通信端末装置。
【請求項７】
前記サーバ装置から送信された前記アラート情報には、前記アラート情報を外部に出力すべき前記通信端末装置の識別子が送信先識別子として付加されており、
前記送信先識別子に自身の識別子があるかを判定する手段と、
前記自身の識別子がある場合に前記アラート情報を外部に出力する手段と、
前記自身の識別子がない場合に前記アラート情報を外部に出力しない手段と
を有する、請求項６に記載の通信端末装置。
【請求項８】
複数の通信端末装置と同一ネットワーク上で接続可能なサーバ装置であって、
前記複数の通信端末装置のうち少なくとも１つの通信端末装置から送信されたアラート情報を受信する手段と、
受信した前記アラート情報に、前記アラート情報を外部に出力すべき前記少なくとも１つの通信端末装置の識別子を送信先識別子として付加する手段と、
前記送信先識別子が付加されたアラート情報を前記複数の通信端末装置にブロードキャストする手段と
を有する、サーバ装置。
【請求項９】
サーバ装置と、互いに離れた箇所に配置された複数の通信端末装置とが同一ネットワーク上にあり、
前記複数の通信端末装置はそれぞれ、
少なくとも１つのセンサと接続可能であって、
前記センサで取得されたデータを受信し、
前記データに基づいて前記センサが設置された箇所に異常があるか否かを判定し、
異常がある場合に前記サーバ装置にアラート情報を送信し、
前記サーバ装置からブロードキャストされた前記アラート情報を受信し外部に出力する、アラート情報共有方法。
【請求項１０】
前記サーバ装置から送信された前記アラート情報には、前記アラート情報を外部に出力すべき前記通信端末装置の識別子が送信先識別子として付加されており、前記アラート情報を受信した前記複数の通信端末装置は、
前記送信先識別子に自身の識別子があるかを判定し、
前記自身の識別子がある場合に前記アラート情報を外部に出力し、
前記自身の識別子がない場合に前記アラート情報を外部に出力しない、請求項９に記載のアラート情報共有方法。
【請求項１１】
サーバ装置を、
前記サーバ装置と同一ネットワーク上にあって、互いに離れた箇所に配置された複数の通信端末装置のうち少なくとも１つの通信端末装置から送信された前記アラート情報を受信する手段と、
受信した前記アラート情報に、前記アラート情報を外部に出力すべき前記少なくとも１つの通信端末装置の識別子を送信先識別子として付加する手段と、
前記送信先識別子が付加されたアラート情報を前記複数の通信端末装置にブロードキャストする手段として機能させる、アラート情報共有プログラム。
【請求項１２】
同一ネットワーク上にあって、互いに離れた箇所に配置された複数の通信端末装置にアラート情報を共有させるためのプログラムであって、
前記複数の通信端末装置を、
前記複数の通信端末装置１つずつに接続された少なくとも１つのセンサで取得されたデータを受信する手段と、
前記データに基づいて前記センサが設置された箇所に異常があるか否かを判定する手段と、
異常がある場合に前記複数の通信端末装置に接続された１つのサーバ装置にアラート情報を送信する手段と、
前記サーバ装置からブロードキャストされた前記アラート情報を外部に出力すべき少なくとも１つの前記通信端末装置の識別子が送信先識別子として付加されたアラート情報を受信する手段と、
前記送信先識別子に自身の識別子があるかを判定する手段と、
前記自身の識別子がある場合に前記アラート情報を外部に出力する手段と、
前記自身の識別子がない場合に前記アラート情報を外部に出力しない手段として機能させる、アラート情報共有プログラム。
【発明の詳細な説明】
【技術分野】
【０００１】
本発明は、アラート情報共有システム、通信端末装置、サーバ装置、アラート情報共有方法、アラート情報共有プログラムに関する。
【背景技術】
【０００２】
病院や福祉施設などにおいて、患者や利用者に異常（容体の急変、徘徊など）が発生した際、患者や利用者に付けられたセンサなどからアラート情報を発信し、インターネット上のサーバを経由して病院や福祉施設の医師・看護師・職員などへ、アラート情報を送信するシステムが知られている。たとえば、特許文献１に記載のシステム（図１３参照）は、患者１２に付けられた医療ポンプ６がデータを取得し（Ｓ９０）、発送システム７へ送信する（Ｓ９１）。発送システム７はデータを受信し（Ｓ９２）、異常の有無を判定し、異常ありの場合（Ｓ９３：ＹＥＳ）にローカルエリアネットワーク上の警報転送システム８にアラート情報を出すように指示し（Ｓ９４）、警報転送システム８はアラート情報を受信し（Ｓ９５）、別ネットワーク（インターネット）上にある医師１０や看護師１１が持つ複数の端末９にアラート情報を送信する（Ｓ９６）。端末９はアラート情報を受信し（Ｓ９７）、外部に出力する（Ｓ９８）。したがって、このシステムを用いれば、医師や看護師が患者に異常がないか様子を確認しに行ったり、医療ポンプの状態を確認しに行ったりすることなく、患者に異常が起きたかどうかを知ることができる。
【先行技術文献】
【特許文献】
【０００３】
【特許文献１】特表２０１７−５２１１０７号公報
【発明の概要】
【発明が解決しようとする課題】
【０００４】
しかし、従来のシステムでは、発送システムが医療ポンプのデータを収集し、警報転送システムがアラート情報を生成して端末へ送信し、または端末が警報転送システムからアラート情報を取得する方法を取っており、発送システムと警報転送システムをサーバ装置として機能するよう構築する必要があり、システム構築が煩雑であった。また、医師などが持つ端末は発送システムや警報転送システムとは別のネットワーク上にあるため、ネットワーク障害が生じるとアラート情報を受信できなくなってしまうという問題があった。
【０００５】
本発明は上記のような課題を解決するためになされたものであり、容易かつ確実にアラート情報を共有できる、アラート情報共有システム、通信端末装置、サーバ装置、アラート情報共有方法、アラート情報共有プログラムを提供することを目的とする。
【課題を解決するための手段】
【０００６】
以下に、課題を解決するための手段として複数の態様を説明する。これら態様は必要に応じて任意に組み合わせることができる。
【０００７】
本発明のアラート情報共有システムは、
サーバ装置と、互いに離れた箇所に配置された複数の通信端末装置とが同一ネットワーク上にあり、
複数の通信端末装置はそれぞれ、
少なくとも１つのセンサに接続可能であって、
センサで取得されたデータを受信する手段と、
データに基づいてセンサが設置された箇所に異常があるか否かを判定する手段と、
異常がある場合にサーバ装置にアラート情報を送信する手段と、
サーバ装置からブロードキャストされたアラート情報を受信し外部に出力する手段と
を有するものである。
【０００８】
また、サーバ装置からブロードキャストされたアラート情報には、アラート情報を外部に出力すべき通信端末装置の識別子が送信先識別子として付加されており、アラート情報を受信した複数の通信端末装置は、
送信先識別子に自身の識別子があるかを判定する手段と、
自身の識別子がある場合にアラート情報を外部に出力する手段と、
自身の識別子がない場合にアラート情報を外部に出力しない手段と
を有するものであってもよい。
【０００９】
本発明のアラート情報共有システムは、
サーバ装置と、互いに離れた箇所に配置された複数の通信端末装置とが同一ネットワーク上にあり、
複数の通信端末装置はそれぞれ、
少なくとも１つのセンサに接続可能であって、
センサで取得されたデータを受信する手段と、
データに基づいてセンサが設置された箇所に異常があるか否かを判定する手段と、
異常がある場合にアラート情報を外部に出力する手段と、
異常がある場合に自身の識別子を送信元識別子として付加してサーバ装置にアラート情報を送信する手段と、
サーバ装置からブロードキャストされたアラート情報と送信元識別子とを受信する手段と、
送信元識別子に自身以外の識別子が含まれているかを判定する手段と、
送信元識別子に自身以外の識別子が含まれている場合に自身以外の識別子に紐づくアラート情報を外部に出力する手段と、
送信元識別子に自身以外の識別子が含まれていない場合にアラート情報を外部に出力しない手段と
を有するものである。
【００１０】
また、サーバ装置から送信されたアラート情報には、送信元識別子と、送信先識別子であるアラート情報を外部に出力すべき通信端末装置の識別子とが付加されており、アラート情報を受信した複数の通信端末装置は、
送信先識別子に自身の識別子が含まれているかを判定する手段と、
送信先識別子に自身の識別子が含まれていない場合にアラート情報を外部に出力しない手段と、
送信先識別子に自身の識別子が含まれている場合に送信元識別子に自身以外の識別子が含まれているかを判定する手段と、
送信元識別子に自身以外の識別子が含まれている場合に自身以外の識別子に紐づくアラート情報を外部に出力する手段と、
送信元識別子に自身以外の識別子が含まれていない場合にアラート情報を外部に出力しない手段と
を有するものであってもよい。
【００１１】
また、センサは、人感センサ、温度センサ、湿度センサ、ドア開閉センサからなる群から選ばれた少なくとも１つであってもよい。
【００１２】
本発明の通信端末装置は、
サーバ装置に同一ネットワーク上で複数接続可能であり、少なくとも１つのセンサに接続可能な通信端末装置であって、
センサで取得されたデータを受信する手段と、
データに基づいてセンサが設置された箇所に異常があるか否かを判定する手段と、
異常がある場合にサーバ装置にアラート情報を送信する手段と、
サーバ装置からブロードキャストされたアラート情報を受信し外部に出力する手段とを有するものである。
【００１３】
また、サーバ装置から送信されたアラート情報には、アラート情報を外部に出力すべき通信端末装置の識別子が送信先識別子として付加されており、
送信先識別子に自身の識別子があるかを判定する手段と、
自身の識別子がある場合にアラート情報を外部に出力する手段と、
自身の識別子がない場合にアラート情報を外部に出力しない手段と
を有するものであってもよい。
【００１４】
本発明のサーバ装置は、
複数の通信端末装置と同一ネットワーク上で接続可能なサーバ装置であって、
複数の通信端末装置のうち少なくとも１つの通信端末装置から送信されたアラート情報を受信する手段と、
受信したアラート情報に、アラート情報を外部に出力すべき少なくとも１つの通信端末装置の識別子を送信先識別子として付加する手段と、
送信先識別子が付加されたアラート情報を複数の通信端末装置にブロードキャストする手段とを有するものである。
【００１５】
本発明のアラート情報共有方法は、
サーバ装置と、互いに離れた箇所に配置された複数の通信端末装置とが同一ネットワーク上にあり、
複数の通信端末装置はそれぞれ、
少なくとも１つのセンサと接続可能であって、
センサで取得されたデータを受信し、
データに基づいてセンサが設置された箇所に異常があるか否かを判定し、
異常がある場合にサーバ装置にアラート情報を送信し、
サーバ装置からブロードキャストされたアラート情報を受信し外部に出力するものである。
【００１６】
また、サーバ装置から送信されたアラート情報には、アラート情報を外部に出力すべき通信端末装置の識別子が送信先識別子として付加されており、アラート情報を受信した複数の通信端末装置は、
送信先識別子に自身の識別子があるかを判定し、
自身の識別子がある場合にアラート情報を外部に出力し、
自身の識別子がない場合にアラート情報を外部に出力しないものであってもよい。
【００１７】
本発明のアラート情報共有プログラムは、
サーバ装置を、
サーバ装置と同一ネットワーク上にあって、互いに離れた箇所に配置された複数の通信端末装置のうち少なくとも１つの通信端末装置から送信されたアラート情報を受信する手段と、
受信したアラート情報に、アラート情報を外部に出力すべき少なくとも１つの通信端末装置の識別子を送信先識別子として付加する手段と、
送信先識別子が付加されたアラート情報を複数の通信端末装置にブロードキャストする手段として機能させるものである。
【００１８】
本発明のアラート情報共有プログラムは、
同一ネットワーク上にあって、互いに離れた箇所に配置された複数の通信端末装置にアラート情報を共有させるためのプログラムであって、
複数の通信端末装置を、
複数の通信端末装置１つずつに接続された少なくとも１つのセンサで取得されたデータを受信する手段と、
データに基づいてセンサが設置された箇所に異常があるか否かを判定する手段と、
異常がある場合に複数の通信端末装置に接続された１つのサーバ装置にアラート情報を送信する手段と、
サーバ装置からブロードキャストされたアラート情報を外部に出力すべき少なくとも１つの通信端末装置の識別子が送信先識別子として付加されたアラート情報を受信する手段と、
送信先識別子に自身の識別子があるかを判定する手段と、
自身の識別子がある場合にアラート情報を外部に出力する手段と、
自身の識別子がない場合にアラート情報を外部に出力しない手段として機能させるものである。
【発明の効果】
【００１９】
本発明のアラート情報共有システムは、サーバ装置と、サーバ装置に接続され互いに離れた箇所に配置された複数の通信端末装置とが同一ネットワーク上にあり、複数の通信端末装置はそれぞれ、少なくとも１つのセンサに接続可能であって、センサで取得されたデータを受信する手段と、データに基づいてセンサが設置された箇所に異常があるか否かを判定する手段と、異常がある場合にサーバ装置にアラート情報を送信する手段と、サーバ装置からブロードキャストされたアラート情報を受信し外部に出力する手段とを有するように構成した。
【００２０】
本発明のアラート情報共有システムは、サーバ装置と、互いに離れた箇所に配置された複数の通信端末装置とが同一ネットワーク上にあり、複数の通信端末装置はそれぞれ、少なくとも１つのセンサに接続可能であって、センサで取得されたデータを受信する手段と、データに基づいてセンサが設置された箇所に異常があるか否かを判定する手段と、異常がある場合にアラート情報を外部に出力する手段と、異常がある場合に自身の識別子を送信元識別子として付加してサーバ装置にアラート情報を送信する手段と、サーバ装置からブロードキャストされたアラート情報と送信元識別子とを受信する手段と、送信元識別子に自身以外の識別子が含まれているかを判定する手段と、送信元識別子に自身以外の識別子が含まれている場合に自身以外の識別子に紐づくアラート情報を外部に出力する手段と、送信元識別子に自身以外の識別子が含まれていない場合にアラート情報を外部に出力しない手段とを有するように構成した。
【００２１】
したがって、本発明のアラート情報共有システムは、容易かつ確実にアラート情報を共有することができる。
【００２２】
本発明の通信端末装置は、サーバ装置に同一ネットワーク上で複数接続可能であり、少なくとも１つのセンサに接続可能な通信端末装置であって、センサで取得されたデータを受信する手段と、データに基づいてセンサが設置された箇所に異常があるか否かを判定する手段と、異常がある場合にサーバ装置にアラート情報を送信する手段と、サーバ装置からブロードキャストされたアラート情報を受信し外部に出力する手段とを有するように構成した。
したがって、本発明の通信端末装置を用いると、容易かつ確実にアラート情報を共有することができる。
【００２３】
本発明のサーバ装置は、複数の通信端末装置と同一ネットワーク上で接続可能なサーバ装置であって、複数の通信端末装置のうち少なくとも１つの通信端末装置から送信されたアラート情報を受信する手段と、受信したアラート情報に、アラート情報を外部に出力すべき少なくとも１つの通信端末装置の識別子を付加する手段と、識別子が付加されたアラート情報を複数の通信端末装置にブロードキャストする手段とを有するように構成した。
したがって、本発明のサーバ装置を用いると、容易かつ確実にアラート情報を共有することができる。
【００２４】
本発明のアラート情報共有方法は、サーバ装置と、サーバ装置に接続され互いに離れた箇所に配置された複数の通信端末装置とが同一ネットワーク上にあり、複数の通信端末装置はそれぞれ、少なくとも１つのセンサと接続可能であって、センサで取得されたデータを受信し、データに基づいてセンサが設置された箇所に異常があるか否かを判定し、異常がある場合にサーバ装置にアラート情報を送信し、サーバ装置からブロードキャストされたアラート情報を受信し外部に出力するように構成した。
したがって、本発明のアラート情報共有方法によれば、容易かつ確実にアラート情報を共有することができる。
【００２５】
本発明のアラート情報共有プログラムは、サーバ装置を、サーバ装置と同一ネットワーク上にあって、互いに離れた箇所に配置された複数の通信端末装置のうち少なくとも１つの通信端末装置から送信されたアラート情報を受信する手段と、受信したアラート情報に、アラート情報を外部に出力すべき少なくとも１つの通信端末装置の識別子を送信先識別子として付加する手段と、送信先識別子が付加されたアラート情報を複数の通信端末装置にブロードキャストする手段として機能させるように構成した。
したがって、本発明のアラート情報共有プログラムを用いると、容易かつ確実にアラート情報を共有することができる。
【００２６】
本発明のアラート情報共有プログラムは、同一ネットワーク上にあって、互いに離れた箇所に配置された複数の通信端末装置にアラート情報を共有させるためのプログラムであって、複数の通信端末装置を、複数の通信端末装置１つずつに接続された少なくとも１つのセンサで取得されたデータを受信する手段と、データに基づいてセンサが設置された箇所に異常があるか否かを判定する手段と、異常がある場合に複数の通信端末装置に接続された１つのサーバ装置にアラート情報を送信する手段と、サーバ装置からブロードキャストされたアラート情報を外部に出力すべき少なくとも１つの通信端末装置の識別子が送信先識別子として付加されたアラート情報を受信する手段と、送信先識別子に自身の識別子があるかを判定する手段と、自身の識別子がある場合にアラート情報を外部に出力する手段と、自身の識別子がない場合にアラート情報を外部に出力しない手段として機能させるように構成した。
したがって、本発明のアラート情報共有プログラムを用いると、容易かつ確実にアラート情報を共有することができる。
【図面の簡単な説明】
【００２７】
【図１】（ａ）本発明のアラート情報共有システム・方法の一実施形態を示す構成図である。（ｂ）本発明のアラート情報共有システム・方法の一実施形態を示すフローチャートである。
【図２】本発明の通信端末装置の一実施形態を示す機能ブロック図である。
【図３】本発明のアラート情報共有システム・方法の別の実施形態を示すフローチャートである。
【図４】本発明の通信端末装置の別の実施形態を示す機能ブロック図である。
【図５】本発明のサーバ装置の一実施形態を示すブロック図である。
【図６】本発明の通信端末装置の別の実施形態を示すブロック図である。
【図７】本発明のアラート情報共有システムの別の実施形態を示すフローチャートである。
【図８】本発明の通信端末装置の別の実施形態を示す機能ブロック図である。
【図９】本発明のアラート情報共有システムの別の実施形態を示すフローチャートである。
【図１０】本発明の通信端末装置の別の実施形態を示す機能ブロック図である。
【図１１】本発明のサーバ装置の主要な内部構成を示すブロック図である。
【図１２】本発明の通信端末装置の主要な内部構成を示すブロック図である。
【図１３】（ａ）従来のアラート情報共有システムの一例を示す構成図である。（ｂ）従来のアラート情報共有システムの一例を示すフローチャートである。
【発明を実施するための形態】
【００２８】
以下、本発明のアラート情報共有システム、通信端末装置、サーバ装置、アラート情報共有方法、アラート情報共有プログラムについて、図面を参照しながらそれぞれの実施形態の一例を説明する。
【００２９】
本発明のアラート情報共有システム１は、サーバ装置２と、サーバ装置２に接続され互いに離れた箇所に配置された複数の通信端末装置３とが同一ネットワーク上にあり、複数の通信端末装置３はそれぞれ、少なくとも１つのセンサ４に接続可能であって、センサ４で取得されたデータを受信する手段と、データに基づいてセンサ４が設置された箇所に異常があるか否かを判定する手段と、異常がある場合にサーバ装置２にアラート情報を送信する手段と、サーバ装置２からブロードキャストされたアラート情報を受信し外部に出力する手段とを有するものである（図１参照）。
【００３０】
また、本発明のアラート情報共有方法は、サーバ装置２と、サーバ装置２に接続され互いに離れた箇所に配置された複数の通信端末装置３とが同一ネットワーク上にあり、複数の通信端末装置３はそれぞれ、少なくとも１つのセンサ４と接続可能であって、センサ４で取得されたデータを受信し、データに基づいてセンサ４が設置された箇所に異常があるか否かを判定し、異常がある場合にサーバ装置２にアラート情報を送信し、サーバ装置２からブロードキャストされたアラート情報を受信し外部に出力するものである（図１参照）。
【００３１】
本発明の通信端末装置３は、サーバ装置２に同一ネットワーク上で複数接続可能であり、少なくとも１つのセンサ４に接続可能な通信端末装置であって、センサ４で取得されたデータを受信する手段Ｆ１と、データに基づいてセンサ４が設置された箇所に異常があるか否かを判定する手段Ｆ２と、異常がある場合にサーバ装置２にアラート情報を送信する手段Ｆ３と、サーバ装置２からブロードキャストされたアラート情報を受信し外部に出力する手段Ｆ４とを有するものである（図２参照）。
【００３２】
複数の通信端末装置３は、互いに離れた箇所に配置する。図１（ａ）では３台の通信端末装置を配置している。たとえば、老人ホームにおいて、３台のうち１台は管理人が待機する部屋（またはサービスステーションなど）Ａに配置し、１台は２階の介護職員５が待機する部屋（またはサービスステーションなど）Ｂに配置し、１台は３階の介護職員が待機する部屋（またはサービスステーションなど）Ｃに配置する。
【００３３】
複数の通信端末装置３はそれぞれ、少なくとも１つのセンサ４に接続可能である。センサ４は、たとえば、老人ホームの入居者（被介護者）の部屋の壁、床、ドア付近、および老人ホームの出入口などに設置し、通信端末装置３と無線または有線で通信可能に接続する。無線接続の場合は、たとえば、９００ＭＨｚ帯または２．４ＧＨｚ帯といった周波数を用いることができる。
【００３４】
複数の通信端末装置３とサーバ装置２は、同一ネットワーク上にある。サーバ装置２や複数の通信端末装置３といった各端末のネットワークへの接続は無線であってもよいし、有線であってもよい。無線接続の場合は、たとえば、２．４ＧＨｚ帯または５ＧＨｚ帯といった周波数を用いることができる。
【００３５】
センサ４は、人感センサ、温度センサ、湿度センサ、ドア開閉センサからなる群から選ばれた少なくとも１つとすることができる。センサを設置する箇所で検出する異常の内容に応じて、これらセンサを利用するとよい。たとえば、温湿度センサ、または温度センサと湿度センサとを部屋に設置すると、エアコンの付け忘れや操作ミス、故障などによる脱水症状のリスクを検知することができる。換気などによる湿度低下を監視し、インフルエンザリスクの上昇を検知することもできる。また、たとえば、玄関や部屋に人感センサを設置すると、夜間などに老人ホーム入居者（被介護者）が施設外へ出てしまうリスクを防ぐことができる。入居者がいないはずの時間に人感センサが反応することで、不審者の侵入を発見することもできる。また、たとえば、部屋に人感センサを設置すると、睡眠リズムを把握したり、睡眠障害を早期に発見したりすることができる。
【００３６】
なお、通信端末装置３はセンサ４単体とだけではなく、センサが内蔵された装置とも接続可能なように構成してもよい。そのような装置としては、たとえば、スマートフォンなどの携帯端末装置、スマートウォッチなどのウェアラブル装置、生体情報をモニタリングして睡眠の状態や臥床の状態を判別できるベッド装置、マイクロ波やカメラ、赤外線装置などを使った見守り機器などを用いることができる。
【００３７】
通信端末装置３は、まず、センサ４で取得されたデータを受信する（図１（ｂ）参照）。データは、設置したセンサの数や種類に応じて、少なくとも１つ以上であり、そのデータを通信端末装置３が受信する。それぞれのセンサ４には識別子を付与することができ、センサ４から送信されるデータにはその識別子も含まれる。これにより、データを受信した通信端末装置３が、そのデータがどの箇所に設置したどのセンサから送信されたものなのかを判定することができる。
【００３８】
通信端末装置３は、次に、データに基づいてセンサが設置された箇所に異常があるか否かを判定する。判定する手段には、たとえばＣＰＵ（Ｃｅｎｔｒａｌ  Ｐｒｏｃｅｓｓｉｎｇ  Ｕｎｉｔ）を用いることができ、次のような手段が挙げられる。通信端末装置３には予め各種データに対応した閾値とデータ範囲の少なくとも１つを設定し、閾値以上またはデータ範囲外のデータをセンサから受信した場合に、異常ありと判定する。たとえば、部屋に温度センサが設置されており、連続的にセンサでデータを取得し、ある時点から閾値以上の温度が連続的に取得されると、そのデータを受信した通信端末装置はその温度センサが設置された部屋に異常ありと判定する。この場合、被介護者に脱水症状のリスクが高まっていることを通知することができる。判定する他の手段としては、たとえば、玄関ドアの付近に人感センサを設置している場合、通信端末装置には予めデータ範囲として何時から何時を昼間と設定し、設定したデータ範囲外の時間帯に人感センサからデータを受信した場合に、異常ありと判定する。この場合、被介護者が夜間に施設外へ出てしまうリスクを通知することができる。
【００３９】
図１（ｂ）のフローチャートを参照して、本発明のアラート情報共有システムおよび方法を説明する。
【００４０】
それぞれのセンサ４は各種データを取得し（Ｓ１）、通信可能に接続された通信端末装置３にデータを送信する（Ｓ２）。
【００４１】
通信端末装置３は、センサ４から送信されたデータを受信する（Ｓ３）。センサが設置された箇所に異常なしと判定すれば（Ｓ４：ＮＯ）、引き続きセンサからデータを受信することができる。異常ありと判定すれば（Ｓ４：ＹＥＳ）、アラート情報を生成してサーバ装置２に送信する（Ｓ５）。アラート情報には、どのセンサからの検出値であり、どのような異常なのかといった内容が含まれる。サーバ装置へのアラート情報の送信は、任意の通信プロトコルを用いることができるが、好ましくはＴＣＰである。ＴＣＰを用いると、通信端末装置からサーバ装置に１対１の関係でアラート情報を送信できるため、複数の通信端末装置からアラート情報が送信されたとしても、それぞれのアラート情報を確実にサーバ装置に届けることができる。なお、アラート情報を送信する際、通信端末装置の識別子を付加してもよい。
【００４２】
アラート情報は通信端末装置３からサーバ装置２に送信され、サーバ装置２はアラート情報を受信する（Ｓ６）。次いで、アラート情報はサーバ装置２から複数の通信端末装置３へブロードキャストされる（Ｓ７）。つまり、サーバ装置に接続された同一ネットワーク上の通信端末装置すべてに対して、サーバ装置からアラート情報が同時送信される。ブロードキャストする際は、任意の通信プロトコルを用いることができるが、ＵＤＰを用いると、ＴＣＰと比べてアラート情報をより早く共有することができるため好ましい。
【００４３】
すべての通信端末装置はアラート情報を受信し（Ｓ８）、アラート情報を外部に出力する（Ｓ９）。出力する手段としては、たとえば、ディスプレイやランプなどを用いてアラートが見えるようにする手段、ブザーやスピーカーなどを用いてアラートが聞こえるようにする手段、メールで通知する手段、およびこれらの組み合わせなどが挙げられる。
【００４４】
本発明のアラート情報共有システムおよびアラート情報共有方法は、上記した構成であるため、次のような効果を奏する。たとえば図１（ａ）を参照して、玄関付近にある部屋Ａに管理人がおらず、玄関ドアの付近に設置した人感センサが夜間に被介護者の存在を検知すると、アラート情報は部屋Ａだけでなく、介護職員５のいる部屋Ｂと部屋Ｃにも出力される。つまり、すべての通信端末装置３にアラート情報を出力できるため、被介護者が施設外へ出ようとしているのを、介護職員に確実に知らせることができる。また、介護職員が一人であって、いずれかの部屋にいる場合でも、すべての通信端末装置３にアラート情報を出力できるため、異常を確実に知らせることができる。
【００４５】
上記実施形態のアラート情報共有システムでは、サーバ装置から単にアラート情報をブロードキャストするだけであったが、サーバ装置から送信されたアラート情報には、アラート情報を外部に出力すべき通信端末装置の識別子が送信先識別子として付加されており、アラート情報を受信した複数の通信端末装置は、送信先識別子に自身の識別子があるかを判定する手段Ｆ６と、自身の識別子がある場合にアラート情報を外部に出力する手段Ｆ８と、自身の識別子がない場合にアラート情報を外部に出力しない手段Ｆ７とを有するものであってもよい（図４参照）。
【００４６】
また、上記実施形態のアラート情報共有方法では、サーバ装置から単にアラート情報をブロードキャストするだけであったが、サーバ装置から送信されたアラート情報には、アラート情報を外部に出力すべき通信端末装置の識別子が送信先識別子として付加されており、アラート情報を受信した複数の通信端末装置は、送信先識別子に自身の識別子があるかを判定し（Ｓ１９）、自身の識別子がある場合にアラート情報を外部に出力し（Ｓ２０）、自身の識別子がない場合にアラート情報を外部に出力しない（Ｓ２１）ものであってもよい（図３参照）。
【００４７】
また、上記実施形態の通信端末装置は、サーバ装置から単にブロードキャストされたアラート情報を受信するだけであったが、サーバ装置から送信されたアラート情報には、アラート情報を外部に出力すべき通信端末装置の識別子が送信先識別子として付加されており、送信先識別子に自身の識別子があるかを判定する手段Ｆ６と、自身の識別子がある場合にアラート情報を外部に出力する手段Ｆ８と、自身の識別子がない場合にアラート情報を外部に出力しない手段Ｆ７とを有するものであってもよい（図４参照）。
【００４８】
また、本発明のサーバ装置は、複数の通信端末装置と同一ネットワーク上で接続可能なサーバ装置であって、複数の通信端末装置のうち少なくとも１つの通信端末装置３から送信されたアラート情報を受信する手段Ｆ１０と、受信したアラート情報に、アラート情報を外部に出力すべき少なくとも１つの通信端末装置３の識別子を送信先識別子として付加する手段Ｆ１１と、送信先識別子が付加されたアラート情報を複数の通信端末装置にブロードキャストする手段Ｆ１２とを有するものである（図５参照）。
【００４９】
図３のフローチャートを参照して、本発明のアラート情報共有システムおよび方法の別の実施形態を説明する。
【００５０】
それぞれのセンサ４は各種データを取得し（Ｓ１０）、通信可能に接続された通信端末装置３にデータを送信する（Ｓ１１）。
【００５１】
通信端末装置３は、センサ４から送信されたデータを受信する（Ｓ１２）。センサが設置された箇所に異常なしと判定すれば（Ｓ１３：ＮＯ）、引き続きセンサからデータを受信することができる。異常ありと判定すれば（Ｓ１３：ＹＥＳ）、アラート情報を生成してサーバ装置２に送信する（Ｓ１４）。
【００５２】
サーバ装置２はアラート情報を受信する（Ｓ１５）。サーバ装置２は、たとえば、サーバアプリケーションをインストールしたサーバ装置を用いることができる。サーバ装置２はアラート情報に、そのアラート情報を外部に出力すべき通信端末装置３の識別子を送信先識別子として付加し（Ｓ１６）、送信先識別子を付加したアラート情報をすべての通信端末装置にブロードキャストする（Ｓ１７）。図１（ａ）を参照して、たとえば、部屋Ａには介護職員がおらず、部屋Ｂと部屋Ｃには介護職員５が待機しており、介護職員が待機する部屋はＢとＣに固定されている。このとき、アラート情報を外部に出力すべき通信端末装置３は、部屋Ｂと部屋Ｃに設置された通信端末装置３である。サーバ装置２は、部屋ＢとＣに設置された通信端末装置３の識別子を送信先識別子としてメモリに予め記憶しており、３台のうちいずれかの通信端末装置からアラート情報を受信すれば、記憶している送信先識別子をメモリから読み出してアラート情報に付加し、送信先識別子を含むアラート情報をすべての通信端末装置にブロードキャストする（図５参照）。ブロードキャストする際は、任意の通信プロトコルを用いることができるが、ＵＤＰを用いると、ＴＣＰと比べてアラート情報をより早く共有することができるため好ましい。なお、サーバ装置２は、通信端末装置３から受信したアラート情報をメモリなどに記憶するよう構成してもよい。
【００５３】
通信端末装置３はそれぞれ、送信先識別子を含むアラート情報を受信し（Ｓ１８）、送信先識別子に自身の識別子があるかを判定する（Ｓ１９）。判定する手段には、たとえばＣＰＵを用いることができ、次のような手段が挙げられる。たとえば、通信端末装置３は、通信端末装置３内のアラート情報受信部でアラート情報と送信先識別子を受信し、アラート情報を通信端末装置３内のメモリ１５に一旦記憶する（図６参照）。メモリ１５には通信端末装置３の識別子（送信先識別子）、これまでに受信したアラート情報などが記憶されている。通信端末装置３は、受信した送信先識別子を判定部１４へ送り、判定部１４はメモリ１５から通信端末装置３自身の識別子を読み出し、受信した送信先識別子の中に自身の識別子があるか判定する。ある場合（図３のＳ１９：ＹＥＳ）は、判定部１４はメモリ１５に出力指示をし、メモリ１５は一旦記憶していたアラート情報をアラート情報出力部１６から外部へ出力する（Ｓ２０）。受信した送信先識別子にメモリから読みだした自身の識別子がない場合（図３のＳ１９：ＮＯ）は、アラート情報を外部に出力しない（Ｓ２１）。したがって、アラート情報はメモリ１５に記憶されたままとなり、ユーザがメモリにアクセスすることでアラート情報の履歴を得ることができる。なお、送信先識別子に自身の識別子がない場合に、メモリに記憶されたアラート情報を、一定期間が過ぎればメモリから削除するように通信端末装置３を構成してもよい。
【００５４】
本発明のシステムおよび方法、ならびに通信端末装置およびサーバ装置は、上記した構成であるため、次のような効果を奏する。図１（ａ）を参照して、部屋Ｂ・Ｃでアラート情報を共有したいときはサーバ装置２には部屋Ｂ・Ｃに設置された通信端末装置の識別子を送信先識別子として記憶する。このとき、部屋Ａ，Ｂ，Ｃのいずれの通信端末装置３がアラート情報をサーバ装置２に送信したとしても、部屋Ａの通信端末装置３の識別子は、サーバ装置２が送信した送信先識別子（部屋Ｂ・Ｃに設置された通信端末装置の識別子）には含まれていないため、部屋Ａの通信端末装置はアラート情報を外部に出力しない。一方、部屋Ｂと部屋Ｃに設置されたそれぞれの通信端末装置３の識別子は、サーバ装置２が送信した送信先識別子に含まれているため、部屋Ｂと部屋Ｃの通信端末装置はそれぞれアラート情報を外部に出力する。したがって、アラート情報の共有が必要な通信端末装置のみに、確実にアラート情報を共有することができる。なお、部屋Ａ，Ｂ，Ｃのいずれか１つにのみ介護職員が待機している場合であっても、同様の効果を奏する。
【００５５】
また、サーバ装置と通信端末装置は、従来は別のネットワーク上にあったため、ネットワークに障害が発生した場合にアラート情報を共有することができなかった。本発明ではサーバ装置と通信端末装置とが同一ネットワーク上にあるため、確実にアラート情報を共有することができる。
【００５６】
また、従来のシステム・方法では、サーバ装置がセンサなどからデータを収集し、アラート出力が必要かを判定し、必要と判定すればクライアント端末に配信する、またはクライアント端末がサーバ装置からアラートを取得するといった方法をとっており、サーバ機能の構築が必要であった。本発明では、通信端末装置がデータを収集してアラート出力の要否を判定し、必要と判定すればサーバ装置に指示し、サーバ装置から同一ネットワーク上のすべての通信端末装置にアラートをブロードキャストする。したがって、サーバ機能の構築が不要であり、容易にアラート情報を共有することができる。
【００５７】
次に、本発明のアラート情報共有システムについて、別の実施形態の一例を説明する。
【００５８】
本発明のアラート情報共有システム１は、サーバ装置２と、互いに離れた箇所に配置された複数の通信端末装置３とが同一ネットワーク上にあり、複数の通信端末装置３はそれぞれ、少なくとも１つのセンサ４に接続可能であって、センサ４で取得されたデータを受信する手段Ｆ１３と、データに基づいてセンサが設置された箇所に異常があるか否かを判定する手段Ｆ１４と、異常がある場合にアラート情報を外部に出力する手段Ｆ１５と、異常がある場合に自身の識別子を送信元識別子として付加してサーバ装置２にアラート情報を送信する手段Ｆ１６と、サーバ装置２からブロードキャストされたアラート情報と送信元識別子とを受信する手段Ｆ１７と、送信元識別子に自身以外の識別子が含まれているかを判定する手段Ｆ１８と、送信元識別子に自身以外の識別子が含まれている場合に自身以外の識別子に紐づくアラート情報を外部に出力する手段Ｆ１９と、送信元識別子に自身以外の識別子が含まれていない場合にアラート情報を外部に出力しない手段Ｆ２０とを有するものである（図７、図８参照）。
【００５９】
図３で示したシステムの一実施形態と異なる点は、以下の２点である。１つは、通信端末装置３が異常と判定した時点でアラート情報を外部に出力するという点である。もう１つは、異常と判定した場合に通信端末装置３が自身の識別子を送信元識別子としてアラート情報に付加するという点である。以下、この２点を中心に説明する。
【００６０】
通信端末装置３は、センサ４から送信されたデータを受信する（Ｓ２４）。センサが設置された箇所に異常なしと判定すれば（Ｓ２５：ＮＯ）、引き続きセンサからデータを受信することができる。異常ありと判定すれば（Ｓ２５：ＹＥＳ）、アラート情報を生成して外部へ出力する（Ｓ２６）。また、生成したアラート情報に自身の識別子を付加してサーバ装置２に送信する（Ｓ２７）。このとき付加される識別子は、それぞれの通信端末装置３に固有の識別子である。送信元識別子として付加される。
【００６１】
サーバ装置２は、異常を検出した通信端末装置３から当該通信端末装置３の識別子（送信元識別子）が付加されたアラート情報を受信し（Ｓ２８）、すべての通信端末装置３にブロードキャストする（Ｓ２９）。
【００６２】
通信端末装置３はそれぞれ、送信元識別子が付加されたアラート情報を受信する（Ｓ３０）。次に、通信端末装置３は、送信元識別子に自身以外の識別子が含まれているかを判定する（Ｓ３１）。判定は、たとえばＣＰＵを用いた次のような手段が挙げられる。通信端末装置３は、通信端末装置３内のアラート情報・識別子受信部１３でアラート情報と送信元識別子を受信し、アラート情報を通信端末装置３内のメモリ１５に一旦記憶する（図６参照）。通信端末装置３は、受信した送信元識別子を判定部１４へ送り、判定部１４はメモリ１５から通信端末装置３自身の識別子を読み出し、自身の識別子と受信した送信元識別子とを比較し、送信元識別子の中に自身以外の識別子があるかを判定する。ある場合（図７のＳ３１：ＹＥＳ）は、自身以外の識別子に紐づくアラート情報を外部に出力する（Ｓ３２）が、自身の識別子に紐づくアラート情報は出力しない。自身以外の識別子がない場合（図７のＳ３１：ＮＯ）は、アラート情報を出力しない（Ｓ３３）。
【００６３】
たとえば、図１（ａ）を参照して、部屋Ａと部屋Ｃに設置された通信端末装置３が異常を検出すると、その時点で部屋Ａと部屋Ｃに設置されたそれぞれの通信端末装置３はアラート情報を外部に出力する。また、アラート情報は、部屋Ａと部屋Ｃに設置されたそれぞれの通信端末装置３の識別子が付加されて、サーバ装置２に送信される。サーバ装置２からブロードキャストされたアラート情報と送信元識別子を、部屋Ａ・Ｂ・Ｃに設置された３台の通信端末装置３が受信する。
【００６４】
部屋Ａの通信端末装置３は、送信元識別子に自身以外の識別子（部屋Ｃの通信端末装置の識別子）が含まれているため、部屋Ｃの通信端末装置３の識別子に紐づくアラート情報を外部に出力する。しかし、自身の識別子に紐づくアラート情報は出力しない。サーバ装置２によるブロードキャスト後は、部屋Ａの通信端末装置３が生成したアラート情報は部屋Ａの通信端末装置３では出力しないため、アラート情報を２重に出力してしまうことを防ぐことができる。
【００６５】
部屋Ｂの通信端末装置３は、送信元識別子に自身以外の識別子（部屋Ａ・Ｃの通信端末装置の識別子）が含まれているため、部屋Ａ・Ｃの通信端末装置それぞれの識別子に紐づくアラート情報を外部に出力する。つまり、部屋Ｂの通信端末装置３は、部屋Ａと部屋Ｃのアラート情報を出力する。
【００６６】
部屋Ｃの通信端末装置３は、送信元識別子に自身以外の識別子（部屋Ａの通信端末装置の識別子）が含まれているため、部屋Ａの通信端末装置の識別子に紐づくアラート情報を外部に出力する。しかし、自身の識別子に紐づくアラート情報は出力しない。サーバ装置２によるブロードキャスト後は、部屋Ｃの通信端末装置３が生成したアラート情報は部屋Ｃの通信端末装置３では出力しないため、アラート情報を２重に出力してしまうことを防ぐことができる。
【００６７】
つまり、本発明のアラート情報共有システムは、複数の通信端末装置でアラート情報を共有でき、アラート情報の２重出力を防ぐことができる。
【００６８】
また、サーバ装置２から送信されたアラート情報には、送信元識別子と、送信先識別子であるアラート情報を外部に出力すべき通信端末装置３の識別子とが付加されており、アラート情報を受信した複数の通信端末装置３は、送信先識別子に自身の識別子があるかを判定する手段Ｆ２６と、送信先識別子に自身の識別子がない場合にアラート情報を外部に出力しない手段Ｆ２８と、送信先識別子に自身の識別子が含まれている場合に送信元識別子に自身以外の識別子が含まれているかを判定する手段Ｆ２７と、送信元識別子に自身以外の識別子が含まれている場合に自身以外の識別子に紐づくアラート情報を外部に出力する手段Ｆ３０と、送信元識別子に自身以外の識別子が含まれていない場合にアラート情報を外部に出力しない手段Ｆ２９とを有するものであってもよい（図９、図１０参照）。
【００６９】
通信端末装置３がセンサ４からデータを受信し、異常判定し、アラート情報をサーバ装置２に送信するまでは上記した別の実施形態（図７参照）と同じであるため、説明を省略する。
【００７０】
サーバ装置２は、送信元識別子が付加されたアラート情報を通信端末装置３から受信する（Ｓ２８）。サーバ装置２は、アラート情報にさらに送信先識別子を付加する（Ｓ３４）。送信先識別子は、アラート情報を外部に出力すべき通信端末装置３の識別子である。たとえば図１（ａ）を参照して、部屋Ａで検出された異常を部屋Ｂと部屋Ｃに設置された通信端末装置３で共有したい場合、部屋Ａの通信端末装置３の識別子が送信元であれば、部屋Ｂ・Ｃの通信端末装置３の識別子を送信先とするよう、予めサーバ装置２に設定してもよい。サーバ装置２は、送信元識別子と送信先識別子とが付加されたアラート情報をブロードキャストする（Ｓ３５）。
【００７１】
通信端末装置３は、ブロードキャストされたアラート情報を受信する（Ｓ３６）。通信端末装置３は、まず、アラート情報に付加された送信先識別子に自身の識別子があるかを判定する（Ｓ３７）。つまり、受信したアラート情報が自分宛てかどうかを判定する。送信先識別子に自身の識別子がない場合（図９のＳ３７：ＮＯ）は、自分宛てのアラート情報ではないため、その通信端末装置３はアラート情報を出力しない（Ｓ３９）。
【００７２】
送信先識別子に自身の識別子がある場合（図９のＳ３７：ＹＥＳ）は、次に、送信元識別子に自身以外の識別子が含まれているかを判定する（Ｓ３８）。つまり、そのアラート情報を送信したのが自分自身かどうかを判定する。送信元識別子に自身以外の識別子が含まれていない場合（図９のＳ３８：ＮＯ）、つまり、自分以外にアラート情報を送信した通信端末装置がない場合、通信端末装置３はアラート情報を出力しない（Ｓ４１）。これにより、通信端末装置は、異常と判定した時点ですでに出力したアラート情報（図７のＳ２６）を再度出力することがない。つまり、アラート情報の２重出力を防ぐことができる。
【００７３】
送信元識別子に自身以外の識別子が含まれている場合（図９のＳ３８：ＹＥＳ）、自身以外の送信元識別子に紐づくアラート情報を出力する（Ｓ４０）。つまり、たとえば、アラートを発した通信端末装置が自分以外にもいて、そのアラートが自分宛てである場合、自分以外の通信端末装置が発したアラート情報は出力する。自分が発したアラート情報は再度出力しないため、アラート情報の２重出力を防ぐことができる。また、他の通信端末装置が検出したアラート情報を確実に共有することができる。
【００７４】
次に、本発明のアラート情報共有プログラムについて、実施形態の一例を説明する。
【００７５】
本発明のアラート情報共有プログラム２０は、サーバ装置２を、サーバ装置と同一ネットワーク上にあって、互いに離れた箇所に配置された複数の通信端末装置３のうち少なくとも１つの通信端末装置３から送信されたアラート情報を受信する手段Ｆ１０と、受信したアラート情報に、アラート情報を外部に出力すべき少なくとも１つの通信端末装置３の識別子を送信先識別子として付加する手段Ｆ１１と、送信先識別子が付加されたアラート情報を複数の通信端末装置３にブロードキャストする手段Ｆ１２として機能させるものである（図５参照）。
【００７６】
サーバ装置２は、ＣＰＵ１７、通信部１８、およびメモリ１９を少なくとも備えている（図１１参照）。通信部１８は、たとえばルータ等（図示せず）の所要の通信機器を介して同一ネットワーク上の複数の通信端末装置と接続している。メモリ１９は、少なくとも、アラート情報共有プログラム２０と送信先識別子情報２１を記憶している。通信端末装置それぞれには識別子が付いており、アラート情報を出力させるべき通信端末装置の識別子が、送信先識別子情報２１としてメモリ１９に記憶されている。
【００７７】
アラート情報共有プログラム２０は、ＣＰＵ１７が次の処理を制御するよう規定している。まず、ＣＰＵ１７は、複数の通信端末装置のうち少なくとも１つの通信端末装置から送信されたアラート情報を、通信部１８を制御して受信する。次に、ＣＰＵ１７は、メモリ１９から送信先識別子情報２１を読み出し、その送信先識別子情報をアラート情報に付加する処理を制御する。そして、ＣＰＵ１７は、送信先識別子情報とアラート情報を、通信部１８を制御して送信する。送信の際は、通信部１８と通信可能に接続しているすべての通信端末装置に対してブロードキャストする。
【００７８】
アラート情報共有プログラムを上記のように規定し、それによってサーバ装置を機能させることにより、アラート情報の出力が必要な通信端末装置に、アラート情報を容易にかつ確実に届けることができる。
【００７９】
また、本発明のアラート情報共有プログラム２５は、同一ネットワーク上にあって、互いに離れた箇所に配置された複数の通信端末装置３にアラート情報を共有させるためのプログラムであって、複数の通信端末装置３を、複数の通信端末装置１つずつに接続された少なくとも１つのセンサ４で取得されたデータを受信する手段Ｆ１と、データに基づいてセンサ４が設置された箇所に異常があるか否かを判定する手段Ｆ２と、異常がある場合に複数の通信端末装置３に接続された１つのサーバ装置２にアラート情報を送信する手段Ｆ３と、サーバ装置２からブロードキャストされたアラート情報を外部に出力すべき少なくとも１つの通信端末装置３の識別子が送信先識別子として付加されたアラート情報を受信する手段Ｆ５と、送信先識別子に自身の識別子があるかを判定する手段Ｆ６と、自身の識別子がある場合にアラート情報を外部に出力する手段Ｆ８と、自身の識別子がない場合にアラート情報を外部に出力しない手段Ｆ７として機能させるものである（図４、図６、図１２参照）。
【００８０】
通信端末装置３は、ＣＰＵ２２、通信部２３、外部接続インターフェイス２４、およびメモリ１５を少なくとも備えている（図１２参照）。通信部２３は、たとえばルータ等（図示せず）の所要の通信機器を介して同一ネットワーク上のサーバ装置２と接続している。外部接続インターフェイス２４には、たとえば、マウスやキーボード等の入力機器、ディスプレイやスピーカー等の出力機器、および入力機器と出力機器の両方を接続することができる。メモリ１５は、少なくとも、アラート情報共有プログラム２５と、その通信端末装置固有の識別子情報２６と、閾値設定情報２７および／またはデータ範囲設定情報２８とを記憶している。
【００８１】
アラート情報共有プログラム２５は、ＣＰＵ２２が次の処理を制御するよう規定している。まず、ＣＰＵ２２は、少なくとも１つのセンサで取得されたデータを、通信部２３を制御して受信する。
【００８２】
次に、ＣＰＵ２２は、メモリ１５から閾値設定情報２７および／またはデータ範囲設定情報２８を読み出し、受信したデータが設定された閾値以上か、データ範囲外か、またはその両方かを判定する。閾値設定情報２７とデータ範囲設定情報２８は、センサで検出したい異常の内容に応じて設定することができる。たとえば、センサが設置された箇所の温度の異常を検出したい場合は、メモリは異常と判定される温度を閾値として記憶し、ＣＰＵはその閾値を読み出して、センサから得られたデータが閾値以上かどうかを判定する。また、たとえば、夜間に異常を検出したい場合は、メモリ１５は昼間の時間帯をデータ範囲として記憶し、ＣＰＵ２２はそのデータ範囲を読み出して、センサから得られたデータがデータ範囲外かどうかを判定する。また、たとえば、夜間の室温異常を検出したい場合は、メモリ１５は昼間の時間帯をデータ範囲として記憶し、異常と判定される温度を閾値として記憶する。ＣＰＵ２２は、そのデータ範囲と閾値とを読み出して、センサから得られたデータが閾値以上かつデータ範囲外かどうかを判定する。
上記により、ＣＰＵ２２が、データに基づいてセンサが設置された箇所に異常があるか否かを判定することができる。
【００８３】
次に、ＣＰＵ２２は、異常ありと判定すれば、通信端末装置３に同一ネットワーク上で接続されたサーバ装置２に、アラート情報を送信する処理を制御する。アラート情報はＣＰＵ２２によって生成され、ＣＰＵ２２が通信部２３を制御してサーバ装置２に送信する。
【００８４】
サーバ装置から、サーバ装置に接続しているすべての通信端末装置に対してアラート情報が送信されるが、そのアラート情報には、アラート情報を外部に出力すべき通信端末装置の識別子が送信先識別子として少なくとも１つ付加されている。通信端末装置のＣＰＵ２２は、通信部２３を制御して送信先識別子が付加されたアラート情報を受信する。
【００８５】
次に、ＣＰＵ２２は、メモリ１５に記憶された自身の識別子情報２６を読み出し、自身の識別子情報が、サーバ装置から送信されたアラート情報に付加された送信先識別子に含まれているか判定する処理を制御する。含まれていれば、ＣＰＵ２２は、外部接続インターフェイス２４を介して、アラート情報を外部に出力する処理を制御する。自身の識別子が含まれていない場合は、ＣＰＵ２２は、アラート情報を外部に出力しない処理を制御する。このとき、たとえば、ＣＰＵ２２はアラート情報をメモリ１５に記憶する処理を制御する。
【００８６】
なお、アラート情報を外部に出力する際は、通信部２３と接続可能に構成された外部端末に対して、ＣＰＵ２２が通信部２３を制御することによって出力してもよい。また、ＣＰＵ２２は、外部に出力せずメモリ１５に記憶されたアラート情報を、一定期間が経過すればメモリ１５から削除する処理を制御するようにしてもよい。
【００８７】
アラート情報共有プログラム２５を上記のように規定し、それによって通信端末装置を機能させることにより、アラート情報の出力が必要な通信端末装置に、アラート情報を容易にかつ確実に届けることができる。
【符号の説明】
【００８８】
１  ：アラート情報共有システム
２  ：サーバ装置
３  ：通信端末装置
４  ：センサ
５  ：介護職員
６  ：医療ポンプ
７  ：発送システム
８  ：警報転送システム
９  ：端末
１０：医師
１１：看護師
１２：患者
１３：アラート情報・識別子受信部
１４：判定部
１５：メモリ
１６：アラート情報出力部
１７：ＣＰＵ
１８：通信部
１９：メモリ
２０：アラート情報共有プログラム
２１：送信先識別子情報
２２：ＣＰＵ
２３：通信部
２４：外部接続インターフェイス
２５：アラート情報共有プログラム
２６：識別子情報
２７：閾値設定情報
２８：データ範囲設定情報
【図１】
2019200479.tif 000003
【図２】
2019200479.tif 000004
【図３】
2019200479.tif 000005
【図４】
2019200479.tif 000006
【図５】
2019200479.tif 000007
【図６】
2019200479.tif 000008
【図７】
2019200479.tif 000009
【図８】
2019200479.tif 000010
【図９】
2019200479.tif 000011
【図１０】
2019200479.tif 000012
【図１１】
2019200479.tif 000013
【図１２】
2019200479.tif 000014
【図１３】
2019200479.tif 000015